(57)【特許請求の範囲】
【請求項１】
回路基板を内蔵する第１筐体と、
回路基板を内蔵する第２筐体と、
前記第１筐体の端部と前記第２筐体の端部とを相対的に回動可能に支持し、前記第２筐体の前記回路基板に電気的に接続された接点を有するヒンジと、
弾性を有し、一端部を前記ヒンジと前記第２筐体との間に固定され、前記ヒンジが当接することにより変形され弾性力が生じている状態で前記ヒンジの前記接点に接触し、前記ヒンジと前記第２筐体の前記回路基板とに電気的に接続された第１接点部材と、を備え、
前記第１接点部材は、カップ状に形成される一端部を有し、該一端部が前記接点を含む前記ヒンジの一部を覆った状態で前記ヒンジと前記第２筐体とに挟持される、
ことを特徴とする携帯端末。
【請求項２】
回路基板を内蔵する第１筐体と、
回路基板を内蔵する第２筐体と、
前記第１筐体の端部と前記第２筐体の端部とを相対的に回動可能に支持し、前記第２筐体の前記回路基板に電気的に接続された接点を有するヒンジと、
弾性を有し、一端部を前記ヒンジと前記第２筐体との間に固定され、前記ヒンジが当接することにより変形され弾性力が生じている状態で前記ヒンジの前記接点に接触し、前記ヒンジと前記第２筐体の前記回路基板とに電気的に接続された第１接点部材と、を備え、
前記第２筐体の前記回路基板に電気的に接続され貫通孔を有する導電部材を更に備え、
前記第２筐体は前記導電部材の前記貫通孔に挿入され導電性を有する突起を有し、
前記第１接点部材の他端部は、貫通孔を有し、該貫通孔に前記突起が挿入されることで電気的に接続される、
ことを特徴とする携帯端末。
【請求項３】
回路基板を内蔵する第１筐体と、
回路基板を内蔵する第２筐体と、
前記第１筐体の端部と前記第２筐体の端部とを相対的に回動可能に支持し、前記第２筐体の前記回路基板に電気的に接続された接点を有するヒンジと、
弾性を有し、一端部を前記ヒンジと前記第２筐体との間に固定され、前記ヒンジが当接することにより変形され弾性力が生じている状態で前記ヒンジの前記接点に接触し、前記ヒンジと前記第２筐体の前記回路基板とに電気的に接続された第１接点部材と、を備え、
前記第１筐体と前記ヒンジとの間に挟持され前記ヒンジと前記第１筐体に内蔵された前記回路基板とに電気的に接続された第２接点部材を更に備え、
前記第２接点部材は、所定の間隔をおいて対向して形成された２片の一端部を有し、該一端部が前記ヒンジの一部を挟み込んだ状態で前記ヒンジと前記第１筐体とに挟持される、
ことを特徴とする携帯端末。
【請求項４】
前記ヒンジは大径部と小径部とを有し、
前記第２接点部材は、貫通孔を有し、該貫通孔に前記小径部が挿通された状態で、前記大径部と前記第１筐体との間で挟持される、
ことを特徴とする請求項３に記載の携帯端末。
【請求項５】
前記第１接点部材の前記一端部は断面Ｕ字状に形成され、
前記第１接点部材は、前記一端部が前記ヒンジの一部を挟み込んだ状態で前記ヒンジと前記第２筐体とに挟持される、
ことを特徴とする請求項２乃至４のいずれか１項に記載の携帯端末。
【請求項６】
前記第１接点部材は、前記一端部の開きを調整可能なように一部が湾曲して形成されている、
ことを特徴とする請求項５に記載の携帯端末。
【発明の詳細な説明】
【技術分野】
【０００１】
本発明は、導通ヒンジを備える携帯端末に関する。
【背景技術】
【０００２】
表示部を備える筐体と操作部を備える筐体との導電性能を向上させる機能を有し、アンテナ性能向上させる機能を有する導通ヒンジを備える携帯端末が普及している。
【０００３】
例えば、特許文献１には、リアクタンス結合素子を有するヒンジを備える携帯端末が開示されている。この携帯端末は、リアクタンス結合素子によって、簡易な構成で局所ＳＡＲ（比吸収率：Specific Absorption Rate）を低減することができるという特徴を有する。
【０００４】
また、一般的な導電性能を有するヒンジ及びヒンジに接続される接点部材の例として、２個の筐体を回動可能に接続するとともに導電性能を備えるヒンジユニット８０と、ヒンジユニット８０と電気的に接続された接点部材９０とを図１０に示す。ヒンジユニット８０は、ヒンジ本体８００の端面から突出する接点８０６を備える。接点部材９０は、筐体３０の一部に導電ばね固定部９０３が係止することによって固定される。接点部材９０は、その一部に、曲折した舌状の舌片９００を備える。舌片９００が接点８０６に接触することによって、ヒンジユニット８０から接点部材９０に電気が流れることとなる。
【先行技術文献】
【特許文献】
【０００５】
【特許文献１】特開２００６−５０３２４号公報
【発明の概要】
【発明が解決しようとする課題】
【０００６】
しかしながら、特許文献１に開示された携帯端末が備えるヒンジは、外力を受けた場合に電気接続を維持できる程度に強固に接続された電気接続部を備えていなかった。
【０００７】
また、図１０のヒンジユニット８０を備える携帯無線機においては、落下することによる衝撃により、導電性を有する接点部材９０に備えられた舌片９００が接点８０６から離間し、一時的に導通が切断されることがあった。更には、舌片９００が浮くことにより生じた接点８０６と舌片９００との隙間に異物が嵌り込み、永続的にヒンジユニット８０と接点部材９０との導通が切断されることがあった。また、固定部９０３が衝撃により筐体３０から外れてしまうこと等があり、衝撃を受けた場合にヒンジユニット８０と接点部材９０との導通を確保することが難しかった。
【０００８】
本発明はかかる問題点に鑑みてなされたものであり、安定的に導通を確保できる携帯端末を提供することを目的とする。
【課題を解決するための手段】
【０００９】
本発明の第１の観点に係る携帯端末は、
回路基板を内蔵する第１筐体と、
回路基板を内蔵する第２筐体と、
前記第１筐体の端部と前記第２筐体の端部とを相対的に回動可能に支持し、前記第２筐体の前記回路基板に電気的に接続された接点を有するヒンジと、
弾性を有し、一端部を前記ヒンジと前記第２筐体との間に固定され、前記ヒンジが当接することにより変形され弾性力が生じている状態で前記ヒンジの前記接点に接触し、前記ヒンジと前記第２筐体の前記回路基板とに電気的に接続された第１接点部材と、を備え、
前記第１接点部材は、カップ状に形成される一端部を有し、該一端部が前記接点を含む前記ヒンジの一部を覆った状態で前記ヒンジと前記第２筐体とに挟持される、
ことを特徴とする。
また、本発明の第２の観点に係る携帯端末は、
回路基板を内蔵する第１筐体と、
回路基板を内蔵する第２筐体と、
前記第１筐体の端部と前記第２筐体の端部とを相対的に回動可能に支持し、前記第２筐体の前記回路基板に電気的に接続された接点を有するヒンジと、
弾性を有し、一端部を前記ヒンジと前記第２筐体との間に固定され、前記ヒンジが当接することにより変形され弾性力が生じている状態で前記ヒンジの前記接点に接触し、前記ヒンジと前記第２筐体の前記回路基板とに電気的に接続された第１接点部材と、を備え、
前記第２筐体の前記回路基板に電気的に接続され貫通孔を有する導電部材を更に備え、
前記第２筐体は前記導電部材の前記貫通孔に挿入され導電性を有する突起を有し、
前記第１接点部材の他端部は、貫通孔を有し、該貫通孔に前記突起が挿入されることで電気的に接続される、
ことを特徴とする。
更に、本発明の第３の観点に係る携帯端末は、
回路基板を内蔵する第１筐体と、
回路基板を内蔵する第２筐体と、
前記第１筐体の端部と前記第２筐体の端部とを相対的に回動可能に支持し、前記第２筐体の前記回路基板に電気的に接続された接点を有するヒンジと、
弾性を有し、一端部を前記ヒンジと前記第２筐体との間に固定され、前記ヒンジが当接することにより変形され弾性力が生じている状態で前記ヒンジの前記接点に接触し、前記ヒンジと前記第２筐体の前記回路基板とに電気的に接続された第１接点部材と、を備え、
前記第１筐体と前記ヒンジとの間に挟持され前記ヒンジと前記第１筐体に内蔵された前記回路基板とに電気的に接続された第２接点部材を更に備え、
前記第２接点部材は、所定の間隔をおいて対向して形成された２片の一端部を有し、該一端部が前記ヒンジの一部を挟み込んだ状態で前記ヒンジと前記第１筐体とに挟持される、
ことを特徴とする。
【００１０】
また、前記第１接点部材の前記一端部は断面Ｕ字状に形成され、
前記第１接点部材は、前記一端部が前記ヒンジの一部を挟み込んだ状態で前記ヒンジと前記第２筐体とに挟持されるようにしてもよい。
【００１２】
更に、前記第１接点部材は、前記一端部の開きを調整可能なように一部が湾曲して形成されていると好ましい。
【００１５】
前記ヒンジは大径部と小径部とを有し、
前記第２接点部材は、貫通孔を有し、該貫通孔に前記小径部が挿通された状態で、前記大径部と前記第１筐体との間で挟持されるようにしてもよい。
【発明の効果】
【００１６】
安定的に導通を確保できる携帯端末を提供することができる。
【図面の簡単な説明】
【００１７】
【図１】本実施形態に係る携帯電話を示す外形図である。
【図２】ヒンジユニット及び第２接点部材を示す分解斜視図である。
【図３】ヒンジユニット及び第１接点部材を示す分解斜視図である。
【図４】ヒンジユニット、第２接点部材及び第１接点部材が携帯電話に組み込まれた状態を示す部分断面図である。
【図５】第２接点部材を示す斜視図である。
【図６】第１接点部材を示す斜視図である。
【図７】変形例に係る携帯電話の内部における第３接点部材を含めたヒンジユニット近傍を示す分解斜視図である。
【図８】第３接点部材を示す斜視図である。
【図９】変形例に係る第３接点部材を示す斜視図である。
【図１０】一般的な携帯電話の内部の接点部材を含めたヒンジユニット近傍を示す斜視図である。
【発明を実施するための形態】
【００１８】
以下、本発明に係る携帯端末の実施形態について添付の図面を参照して具体的に説明する。
【００１９】
＜実施形態１＞
本実施形態に係る携帯電話１０は、図１に示すように、操作キー２００を複数有する第１筐体２０と、表示部３２を有する第２筐体３０とを備える。更に、携帯電話１０は、図２乃至４に示すように、第１筐体２０と第２筐体３０とを相対的に回動可能となるように支持するヒンジユニット（ヒンジ）４０と、ヒンジユニット４０に電気的に接続された第１接点部材５０及び第２接点部材６０とを備える。
【００２０】
第１筐体２０は、図３に示すように、第２筐体３０と接続する側の端部における両側に、貫通孔２２６，２２８を有する略円管状の接続部（端部）２２０，２２２を備える。接続部２２０は、図４に示すように、貫通孔２２６と貫通孔２２６に連なり貫通孔２２６よりも大径の穴２２４を備える。接続部２２０は、後述するヒンジユニット４０を収容するものである。
【００２１】
第２筐体３０は、図３に示すように、第１筐体２０と接続する側の端部における中央近傍に、貫通孔３０２を有する円管状の接続部（端部）３００を備える。接続部３００の幅は、接続部２２０と接続部２２２との間隔よりも僅かに小さい。第１筐体２０と第２筐体３０とは、接続部２２０と接続部３００とが組み合わされた状態で、後述するヒンジユニット４０が組み付けられることで、回動可能に接続される。
【００２２】
ヒンジユニット４０は、図２に示すように、大径部４０２と大径部４０２からその同軸上に延出する小径部４０１とから構成され貫通孔４０３を中心に有するユニット本体４００と、貫通孔４０３に挿通され接点４０６を端部に有する導電軸部４０５と、導電軸部４０５とユニット本体４００とに一体的に挟持され接点４０４を有する導電部材４０９と、から主に構成される。
【００２３】
ユニット本体４００は、略八角柱状の大径部４０２と大径部４０２からその同軸上に延出し略四角柱状である小径部４０１とから構成され軸線方向に貫通する貫通孔４０３を中心に有する。
【００２４】
導電軸部４０５は、円板上の端部４０７と端部４０７の中心から垂直に延出する棒状部４０８とから形成されている。棒状部４０８の先端は、後述する第１接点部材５０に電気的に接続される接点４０６として機能する。接点４０６は、後述する第１接点部材５０を介して第２筐体３０に内蔵された回路基板に電気的に接続される。
【００２５】
導電部材４０９は、断面コの字状に形成され、中心に貫通孔４１０が形成されている。導電部材４０９は、ユニット本体４００の大径部４０２の一面、及びその一面に対向する一面に嵌められ、棒状部４０８が貫通孔４１０を挿通した状態で導電軸部４０５に挟持される。このようにして、ユニット本体４００と導電軸部４０５と導電部材４０９は一体的に組み付けられ、導電軸部４０５と導電部材４０９と電気的に接続される。導電部材４０９の大径部４０２の外周に露出した部位は、後述する第２接点部材６０に電気的に接続される接点４０４として機能する。接点４０４は、後述する第２接点部材６０を介して第１筐体２０に内蔵された回路基板に電気的に接続される。
【００２６】
ヒンジユニット４０が接続部２２０及び接続部３００に組み付けられた状態において、小径部４０１は接続部２２０の内側に貫通孔２２８から突出し、大径部４０２は穴２２４に収容される。図４に示すように、小径部４０１の接続部２２０から突出した部位が、接続部３００の貫通孔３０２に嵌合する。
【００２７】
第１接点部材５０は、導電性を有する板材から形成され、弾性を有し、第２筐体３０の回路基板とヒンジユニット４０とを電気的に接続する機能を有する。第１接点部材５０は、図６に示すように、ヒンジユニット４０の接点４０６に当接する接点当接部（一端部）５００と、接点当接部５００の両端から連続的に延出し略垂直に曲折された２片のヒンジ接続片（一端部）５０２と、接点当接部５００の中央片側から接点当接部５００に略平行な方向に延出する第２筐体接続片５０６とから形成される。
【００２８】
接点当接部５００における、２片のヒンジ接続片５０２側には、幅方向に延びヒンジ接続片５０２が延出する側に湾曲する湾曲部（一部）５０４が形成されている。湾曲部５０４は、第１接点部材５０がヒンジユニット４０の小径部４０１に組み付けられたときに、小径部４０１の端面から突出する接点４０６と接点当接部５００とが弾性力を有しながら当接するための、小径部４０６の端面との好適な間隔を形成する。また、湾曲部５０４は、接点４０６と接点当接部５００との当接により変形し、この変形による弾性力によって接点４０６と接点当接部５００との当接を維持する。
【００２９】
２片のヒンジ接続片５０２は、ヒンジユニット４０の小径部４０１の周面幅と略同一幅の間隔をおいて略平行に形成されている。つまり、接点当接部５００と２片のヒンジ接続片５０２との断面は略Ｕ字状に形成されおり、２片のヒンジ接続片５０２がヒンジユニット４０の小径部４０１を挟持することによって、第１接点部材５０とヒンジユニット４０とを固定する。また、２片のヒンジ接続片５０２は、湾曲部５０４が形成されていることによって、互いの端部を近づけるように弾性的に変形可能となる。また、２片のヒンジ接続片５０２の端縁５０３は、ヒンジ接続片５０２の他の部位から略垂直外方に曲折されている。端縁５０３は、第１接点部材５０が第２筐体３０に組み付けられたときに、接続部３００の貫通孔３０２の縁に係止する。
【００３０】
第２筐体接続片５０６は、接点当接部５００の中央片側から接点当接部５００に略平行な方向、つまり、第１接点部材５０が第２筐体３０に組み付けられた状態において第１筐体２０側に延出する方向に、接点当接部５００から突出している。
【００３１】
第２接点部材６０は、導電性を有する板材から形成され、弾性を有し、第１筐体２０の回路基板とヒンジユニット４０とを電気的に接続する機能を有する。第２接点部材６０は、図５に示すように、貫通孔６０１が中心に形成された円板６００と、２片のヒンジ接続片（一端部）６０２とガイド片６０４と第１筐体接続片６０６とから形成される。
【００３２】
円板６００は、ヒンジユニット４０の略八角柱状の大径部４０２と対応する所定の幅で８つ部位に区画されている。２片のヒンジ接続片６０２は、円板６００の対向する部位から円板６００から略垂直に延出するようにして形成されている。ヒンジ接続片６０２は、円板６００の径方向内側に湾曲する湾曲部６０３を有する。湾曲部６０３は、第２接点部材６０がヒンジユニット４０の大径部４０２に組み付けられたときに、大径部４０２に一体的に組み付けられた導電部材４０９の接点４０４と当接しヒンジユニット４０と電気的に接続される。第１筐体接続片６０６とガイド片６０４とは、円板６００において、２つのヒンジ接続片６０２から１部位ずつ間隔をおいて配置され、対向するように形成されている。ガイド片６０４は、円板６００から略垂直に延出するようにして形成されている。第１筐体接続片６０６は、円板６００から略垂直に延出し、所定の長さで円板６００の内径方向に向けて直角に曲折し、更に所定の長さで円板６００の大径方向に直角に曲折して形成されている。ここで、第１筐体接続片６０６の端部の延出方向は、携帯電話１０に第２接点部材６０が組み付けられた状態において、第１筐体２０の内部へと向かう方向である。なお、図５に示される第２接点部材６０は、理解を容易にするために、第１接続片６０６が、円板６００の内径方向に向けて直角に折り曲げられた状態となっているが、厳密には、ヒンジユニット４０に取り付けられた後に折り曲げられる。
【００３３】
上記のように構成される、ヒンジユニット４０、第１接点部材５０及び第２接点部材６０組み付け状態及び機能について次に説明する。
【００３４】
まず、図２及び図４に示すように、第１接点部材５０の端縁５０３が接続部３００の貫通孔３０２の縁に係止するように、第１接点部材５０を第２筐体３０に取り付ける。このとき、湾曲部５０４によって第１接点部材５０のヒンジ接続片５０２が容易に弾性変形するため取付が簡単にできる。また、第１接点部材５０は、端縁５０３が接続部３００の貫通孔３０２の縁に係止することにより、後に取り付けられるヒンジユニット４０の接点４０６に当接するのに好適な位置に位置出しされる。
【００３５】
第２接点部材６０の貫通孔６０１をヒンジ接続片６０２側からヒンジユニット４０の小径部４０１側に通すことにより、ヒンジユニット４０と第２接点部材６０とを組み付ける。大径部４０２と小径部４０１の段差部に円板６００が当接することにより、所定の位置に組み付けられる。また、ヒンジユニット４０と第２接点部材６０とが組み付けられた状態において、湾曲部６０３が接点４０４に接触し互いに導通可能となる。ヒンジユニット４０と第２接点部材６０とが組み付けられた後に、第２接点部材６０の第１筐体接続片６０６を円板６００の内径方向に向けて直角に折り曲げる。このようにすることで、後に取り付ける第１筐体２０の内部に第１筐体接続片６０６を挿入するのに好適な位置となる。
【００３６】
次に、貫通孔２２８及び貫通孔２２６と貫通孔３０２とが同軸上に位置し、第１筐体２０の接続部２２０，２２２と第２筐体３０の接続部３００とが重なるように、第１筐体２０と第２筐体３０とを配置する。次に、第２接点部材６０が組み付けられたヒンジユニット４０を、第１筐体２０の接続部２２０の穴２２４に小径部４０１側から挿入する。ヒンジユニット４０は、円板６００が接続部２２０の貫通孔２２８と穴２２４とに形成される段差部２２５に当接する位置まで挿入される。つまり、第２接点部材６０は、円板６００が段差部２２５と大径部４０２とに挟持されることによって、第１筐体２０とヒンジユニット４０とに固定される。
【００３７】
またこの状態のときに、小径部４０１は、第２筐体３０の接続部３００に嵌合している第１接点部材５０内に挿入された状態である。この状態のとき、接点４０６は接点当接部５００を押し上げつつ接触している。つまり、第１接点部材５０は、湾曲部５０４によって接点４０６と当接する方向に弾性変形し、接点４０６と接点当接部５００との接続は強固に保持される。また、第１接点部材５０は、２片のヒンジ接続片５０２が接続部３００と小径部４０１とに挟持されることによって、第２筐体３０とヒンジユニット４０とに固定される。
【００３８】
上記のように、第２接点部材６０は、第１筐体２０とヒンジユニット４０と間に挟持されることによって強固に固定され、第１接点部材５０は、第２筐体３０とヒンジユニット４０と間に挟持されることによって強固に固定される。また、第２接点部材６０は、ヒンジユニット４０の小径部４０１に連なる大径部４０２の面に係止するため、ヒンジユニット４０からその軸方向に外れることがない。同様に、第１接点部材５０は、ヒンジ接続片５０２の端縁５０３が接続部３００の貫通孔３０２の縁に係止するため、ヒンジユニット４０からその軸方向に外れることがない。このように、第２接点部材６０及び第１接点部材５０の固定が強固にされて導通が安定的に確保されるため、例えば、携帯電話１０の落下による衝撃力その他の外力を受け、ヒンジユニット４０が移動又は変形したとしても、第１筐体２０、ヒンジユニット４０及び第２筐体３０の導通が切断されることがない。
【００３９】
また、第１接点部材５０は、湾曲部５０４を備え、接点当接部５００がヒンジユニット４０の接点４０６に当接して変形される。このため、接点４０６と接点当接部５００とが当接するように弾性力が生じることとなり、これらの接続の安定性が確保される。
【００４０】
なお、第２接点部材６０及び第１接点部材５０は、一枚の板材をレーザ加工等及びプレス加工等することにより容易に量産することができ、経済的に優れている。
【００４１】
＜実施形態２＞
実施形態１に係る携帯電話１０は、折り畳み式のもので、第１筐体２０及び第２筐体３０を相対的に回動させるヒンジユニット４０を回動軸として備えるものであった。しかし、本発明はこのような形態に限定されず、例えば、回転軸を２つ備えるもの携帯電話に適用することもできる。また、実施形態１に係る携帯電話１０における第１接点部材５０は、ヒンジユニット４０を２片のヒンジ接続片５０２で挟みこむタイプであったが、本発明はこの形態に限定されない。次に実施形態２に係る携帯電話について説明する。なお、以下において、理解を容易にするために、実施形態１に係る携帯電話１０の部品と同一形状を有する部品には同一の符号を付して説明する。
【００４２】
実施形態２に係る携帯電話は、第１筐体２０と、第１筐体２０にヒンジユニット４０を介して回動可能に接続される第３筐体３１と、第３筐体３１に対して、ヒンジユニット４０を中心として回動する方向に垂直な方向に回動可能な第４筐体（不図示）を備える。次に、図７及び図８を参照して、各部品について説明する。
【００４３】
第３筐体３１は、実施形態１に係る第２筐体３０と同様にヒンジユニット４０と接続されている。また、第３筐体３１は、第４筐体（不図示）が接続される部位に軸受７３を備える。軸受７３に、第４筐体に固定する取付部材７０に固定された回動軸７２が回動可能に固定されている。回動軸７２は、中空状に形成され、回動軸７２の第３筐体３１の内部側端部は、一部に切り欠き７２０を有する円板状に形成されている。また、第３筐体３１の内部であり、回動軸７２の端部近傍には、回動軸７２を所定の回動角度に制限するロック部材７６が固定されている。ロック部材７６は、回動軸７２側の一部に溝７６０が形成されており、溝７６０に回動軸７２の切り欠き７２０の縁が当接することによって回動軸７２の回動を制限する。第３筐体３１は、内部に第４筐体（不図示）から離間する方向に突出し導電性を有する円柱状の突起７８を有する。この突起７８には、後述する第３接点部材（第１接点部材）５２の端部（他端部）５１２及び導電部材７４が係止される。
【００４４】
第３接点部材５２は、導電性を有し、後述する導電部材７４とヒンジユニット４０とを電気的に接続する機能を有する。第３接点部材５２は、図７及び図８に示すように、キャップ状に形成され接点４０６にその内面が当接する接点当接部（一端部）５２０と、接点当接部５２０の外面から延出し直角に折り曲げられた接続片５１０を備える。
【００４５】
接点当接部５２０は、接点４０６にその内面が当接するように、ヒンジユニット４０の小径部４０１を覆って固定される。接点当接部５２０の周面を形成する２面は、ヒンジユニット４０に小径部４０１に取り付けられたときにヒンジユニット４０の周面と合致するように、略平行に形成されている。また、接点当接部５２０の縁５２３は、接点当接部５２０の他の部位から略垂直外方に曲折されている。縁５２３は、第３接点部材５２が第３筐体３１に組み付けられたときに、接続部３００の貫通孔３０２の縁に係止する。
【００４６】
接続片５１０は、係止孔（貫通孔）５１３を中央に有する円板状に形成された端部５１２を有する。係止孔５１３は突起７８に挿入される。第３接点部材５２は、突起７８を介して、ヒンジユニット４０と後述する導電部材７４とを電気的に接続することとなる。
【００４７】
導電部材７４は、板状を成し、第３筐体３０の長手方向（ヒンジユニット４０の軸方向）に延出している。導電部材７４は、軸受７３の外周にその中央部が固定されている。導電部材７４は、突起７８と係合する係合孔（貫通孔）７４０を有する。導電部材には、回動軸７２の中空を通るコード（不図示）が接続され、第４筐体（不図示）の回路基板と電気的に接続されている。
【００４８】
第３筐体３１には、第４筐体（不図示）が取付部材７０を介して回動可能に接続されている。取付部材７０の中心には、第２筐体３０に軸受７３を介して回動可能に支持された回動軸７２が固定されている。
【００４９】
実施形態２に係る携帯電話は、キャップ状の接点当接部５２０に覆われる接点４０６の周囲を閉空間とすることができ、接点４０６と接点当接部５２０との間に異物が侵入することを確実に防ぐことができ、導通不良の発生を防ぐことができる。また、実施形態２に係る携帯電話のように、回動軸を２つ有し、配線領域が制限されるものであっても、係止孔４１を有する第３接点部材５２と係合孔７４０を有する導電部材７４とを突起７８を介して接続することで、安定した導通性能が得られる。
【００５０】
（変形例）
実施形態１に係る携帯電話１０に備えられた第１接点部材５０の形状と、第３接点部材５２の形状とは、任意に組み合わせることが可能である。例えば、図１０に示す第４接点部材（第１接点部材）５１は、実施形態１に係る携帯電話１０に備えられた第１接点部材５０のヒンジユニット４０を挟持する部位と、実施形態２に係る携帯電話に備えられた接続片５１０とが組み合わせられた形状を有する。このように形成された第４接点部材５１を、実施形態１に係る回動軸を２つ有する携帯電話に用いるようにしてもよい。また、逆に、接点部材は、実施形態１に係る携帯電話１０に備えられた第１接点部材５０の第２筐体接続片５０６と、実施形態２に係る携帯電話に備えられた接点当接部５２０とが組み合わせられた形状を有するものであってもよい。
【００５１】
また、上記実施形態において、携帯電話を一例としてあげたが、本発明は携帯電話に限らず、ＰＤＡ、ノートパソコン、ウェアラブルパソコン、電卓、電子辞書その他の携帯端末に適用することができる。
【符号の説明】
【００５２】
１０…携帯電話（携帯端末）、２０…第１筐体、２２０，２２２…接続部（端部）、３０…第２筐体、３００…接続部（端部）、４０…ヒンジユニット（ヒンジ）、４００…ユニット本体、４０１…小径部、４０２…大径部、４０５…導電軸部、４０６…接点、４０９…導電部材、５０…第１接点部材、５００…接点当接部（一端部）、５０２…ヒンジ接続片（一端部）、５０４…湾曲部（一部）、５１…第４接点部材（第１接点部材）、５１２…端部（他端部）、５１３…係止孔（貫通孔）、５２…第３接点部材（第１接点部材）、５２０…接点当接部（一端部）、６０…第２接点部材（第２接点部材）、６０１…貫通孔、６０２…ヒンジ接続片（一端部）、７４…導電部材、７４０…係合孔（貫通孔）、７８…突起
【図１】
0005477907.tif 000002
【図２】
0005477907.tif 000003
【図３】
0005477907.tif 000004
【図４】
0005477907.tif 000005
【図５】
0005477907.tif 000006
【図６】
0005477907.tif 000007
【図７】
0005477907.tif 000008
【図８】
0005477907.tif 000009
【図９】
0005477907.tif 000010
【図１０】
0005477907.tif 000011